(57)【特許請求の範囲】
【請求項１】
連続状態となったフィルムからなる封筒を搬送する搬送手段と、前記搬送手段にて搬送されてくる封筒に対して所定の領域に糊を塗布する糊塗布手段と、前記封筒内に所定の封入物を封入する封入手段と、前記糊塗布手段にて糊が塗布された封筒の折り曲げ加工を行う折り曲げ加工手段と、前記折り曲げ加工手段にて折り曲げられた封筒を１通ずつに切断するとともに、切断した部分を熱により溶融させて前記封筒を封緘する切断手段と、前記切断手段にて切断された封筒の切断部分を前記搬送手段に対して押さえつける押圧手段とを少なくとも有してなる封書作成装置において、
前記押圧手段は、
前記切断手段にて切断された封筒の切断部分に接触するコンベヤーと、
前記コンベヤーの前記封筒に対する接触／非接触状態を制御する制御部材と、
前記コンベヤーの前記封筒との接触面に接することにより、当該接触面に付着した糊を除去するブレードとを有することを特徴とする封書作成装置。
【請求項２】
請求項１に記載の封書作成装置において、
前記押圧手段は、前記切断手段に対して、前記切断手段に加えられた熱により溶融した部分が硬化する前に前記溶融した部分を押さえつけることができるような位置に設けられていることを特徴とする封書作成装置。
【請求項３】
請求項１または請求項２に記載の封書作成装置において、
前記押圧手段は、前記切断手段にて切断された部分の両端のみを前記搬送手段に対して押さえつけることを特徴とする封書作成装置。
【請求項４】
請求項１乃至３のいずれか１項に記載の封書作成装置において、
前記コンベヤーを冷却する冷却手段を有することを特徴とする封書作成装置。
【発明の詳細な説明】
【０００１】
【発明の属する技術分野】
本発明は、封筒に所定の封入物を封入、封緘する封書作成装置に関し、特に、連続したフィルムから封筒を作成するとともにこの封筒に所定の封入物を封入、封緘する封書作成装置に関する。
【０００２】
【従来の技術】
近年、封入物を封入、封緘する封筒としてフィルムを用い、このフィルムから作成された封筒に封入物が封入、封緘された封書が流通している。このフィルムから作成された封筒においては、紙から作成された封筒と比べて、耐水性に優れ、また、透明のフィルムを用いれば、封入されている封入物を視認可能に構成することもでき、さらに、フィルムの色によっては、外観上も優れたものとすることができる。
【０００３】
上述したようなフィルムから作成された封筒に封入物を封入、封緘して封書を作成する場合は、例えば、連続したフィルムシートを搬送し、連続して搬送されてくるフィルムシートを折り曲げるとともに、内部に封入物を封入し、その後、折り曲げられたフィルムシートを封書毎に切断する。ここで、フィルムシートの接着は、フィルムシートの搬送方向と平行な方向においては糊を用いて行い、また、フィルムシートの天地部分においては、フィルムシートの切断時にフィルムシートに熱を加えてフィルムシートどうしを溶着させることによって行う。
【０００４】
図８は、従来の封書作成装置の一構成例を示す図である。
【０００５】
本従来例は図８に示すように、フィルムシートからなる封筒１０１を搬送するローラ１５０ａ〜１５０ｃ及びコンベヤー１６０ａ，１６０ｂと、封筒１０１を折り曲げ加工する折り曲げ加工部１２０ａ〜１２０ｃと、封筒１０１に封入物を封入する封入部１３０と、封筒１０１の搬送方向に平行な方向の所定の領域にライン状に糊を塗布する糊塗布部１１０と、封筒１０１を１通ずつに切断するとともに、切断した部分を熱により溶着させて封筒１０１を封緘する切断部１４０とから構成されている。
【０００６】
以下に、上記のように構成された封書作成装置を用いた封書作成方法について説明する。
【０００７】
図９は、図８に示した封書作成装置を用いた封書作成方法を説明するための図である。
【０００８】
まず、連続したフィルムシートからなる封筒１０１がローラ１５０ａ〜１５０ｃに沿って搬送されてくると（図９（ａ））、折り曲げ加工部１２０ａにおいて、封筒１０１の両端が立てられるように折り曲げられる（図９（ｂ））。なお、折り曲げ加工部１２０ａにて折り曲げられる領域においては、それらが折り畳まれた場合に互いに重なる部分が生じる程度の大きさである。
【０００９】
次に、封入部１３０において、折り曲げ加工部１２０ａにて両端が立てられるように折り曲げられた封筒１０１に封入すべき封入物１０３が、封入物１０３毎に互いに所定の間隔を介して封筒１０１上に置かれる（図９（ｃ））。
【００１０】
次に、折り曲げ加工部１２０ｂにおいて、折り曲げ加工部１２０ａにて立てられた封筒１０１の両端のうち一方が折り畳まれる（図９（ｄ））。
【００１１】
次に、糊塗布部１１０において、折り曲げ加工部１２０ｂにて折り畳まれた部分に、封筒１０１の搬送方向と平行に糊１０２がライン状に塗布される（図９（ｅ））。
【００１２】
次に、折り曲げ加工部１２０ｃにおいて、折り曲げ加工部１２０ａにて立てられた封筒１０１の両端のうち折り曲げ加工部１２０ｂにて折り畳まれていない側が折り畳まれる（図９（ｆ））。その際、折り曲げ加工部１２０ｃにて折り畳まれた部分が、糊塗布部１１０にて塗布された糊１０２によって、折り曲げ加工部１２０ｂにて折り畳まれた部分と接着されることになる。
【００１３】
その後、切断部１４０において、封筒１０１が１通ずつに切断されるとともに、封筒１０１の切断部分に熱が加えられ、それにより、封筒１０１の天地部分が熱溶着し、封緘された封書が作成される（図９（ｇ））。
【００１４】
ここで、切断部１４０における動作について詳細に説明する。
【００１５】
図１０は、図８に示した切断部１４０における動作を説明するための図であり、（ａ）は封筒１０１の切断部分が切断部１４０に対向していない場合の状態を示す図、（ｂ）は封筒１０１の切断部分が切断部１４０に対向し封筒１０１が切断部１４０によってコンベヤー１６０ａ，１６０ｂ上に押さえつけられる状態を示す図、（ｃ）は封筒１０１の切断部分が切断部１４０によって切断される状態を示す図、（ｄ）は切断部１４０が封筒１０１の切断部分を切断した後に封筒１０１から離間した状態を示す図である。
【００１６】
本従来例における切断部１４０は図１０に示すように、コンベヤー１６０ａ上を搬送されてくる封筒１０１を、熱を加えながら切断するための刃１４２と、刃１４２によって封筒１０１を切断する際に封筒１０１の切断部分の近傍領域を上方向から押さえるフィルム押さえ部１４１ａ，１４１ｂと、刃１４２及びフィルム押さえ部１４１ａ，１４１ｂを上下移動させるための上下機構１４４とから構成されており、フィルム押さえ部１４１ａ，１４１ｂは、ばね１４３ａ，１４３ｂを介して上下機構１４４に装着されている。
【００１７】
コンベヤー１６０ａ上を搬送されてくる封筒１０１の切断部分が切断部１４０に対向していない場合は、図１０（ａ）に示すように、上下機構１４４の動作によって、刃１４２及びフィルム押さえ部１４１ａ，１４１ｂは封筒１０１に接していない状態となっている。
【００１８】
コンベヤー１６０ａ上を封筒１０１が搬送されていき、封筒１０１の切断部分が切断部１４０に対向すると、上下機構１４４が下方向すなわち封筒１０１に向かう方向に移動し、まず、図１０（ｂ）に示すように、フィルム押さえ部１４１ａ，１４１ｂが封筒１０１と接し、封筒１０１を上方向からコンベヤー１６０ａ，１６０ｂに対して押さえつけるような状態となる。
【００１９】
その後、さらに上下機構１４４が下方向に移動し、図１０（ｃ）に示すように、封筒１０１の切断部分が刃１４２によって切断される。ここで、上下機構１４４は、ばね１４３ａ，１４３ｂを介してフィルム押さえ部１４１ａ，１４１ｂを装着しているため、フィルム押さえ部１４１ａ，１４１ｂが封筒１０１に接した状態においてもさらに下方向に移動することができ、それにより、刃１４２を封筒１０１に接触させ、封筒１０１を切断することができる。また、刃１４２によって封筒１０１の切断部分に圧力が加わった状態において、刃１４２によって封筒１０１の切断部分に熱が加えられ、それにより、封筒１０１の天地部分が溶融し、溶着する。
【００２０】
その後、上下機構１４４が上方向に移動して刃１４２が封筒１０１から離間してから所定の時間が経過すると、図１０（ｄ）に示すように、封筒１０１の溶融した部分が固まり、それにより、封筒１０１の天地部分が接着され、封緘された封書が作成される。
【００２１】
なお、コンベヤー１６０ａ，１６０ｂの搬送速度においては、コンベヤー１６０ｂの搬送速度がコンベヤー１６０ａの搬送速度よりも速くなるように設定されており、それにより、切断部１４０にて切断された封筒１０１が互いに所定の間隔を有してコンベヤー１６０ｂ上を搬送されていくことになる。
【００２２】
【発明が解決しようとする課題】
上述したような従来の封書作成装置においては、フィルムシートからなる封筒を用いて封書を作成する場合、封筒１通ずつに切断する際に切断部分を熱溶着することによって天地部分を接着しているが、一般に、熱溶着によってフィルムシートを接着する場合、フィルムシートの接着部分に熱を加えると同時に圧力を加える必要がある。
【００２３】
しかしながら、上述した封書作成装置においては、封筒が熱溶着される場合に、封筒の切断による圧力が封筒に加えられるだけであるため、封筒に圧力が加えられている時間が十分ではなく、それにより、その後、封筒の天地部分が開いてしまう虞れがある。
【００２４】
特に、封筒の天地部分のそれぞれにおける両端の領域においては、フィルムシートの剛性によって、接着されずに開いてしまう可能性が高い。
【００２５】
また、近年においては、封筒を構成するフィルムシートの材料として、ポリプロピレンが採用される場合が増えており、ポリプロピレンのような剛性が高い材料からなるフィルムシートを用いた封筒においては、上述した封書作成装置によて封書を作成した場合、天地部分が熱溶着後に開いてしまう可能性が高い。
【００２６】
本発明は、上述したような従来の技術が有する問題点に鑑みてなされたものであって、フィルムシートからなる封筒の天地部分を熱溶着によって接着する場合に、熱溶着後に封筒の天地部分が開いてしまう可能性を低減することができる封書作成装置を提供することを目的とする。
【００２７】
【課題を解決するための手段】
上記目的を達成するために本発明は、
連続状態となったフィルムからなる封筒を搬送する搬送手段と、前記搬送手段にて搬送されてくる封筒に対して所定の領域に糊を塗布する糊塗布手段と、前記封筒内に所定の封入物を封入する封入手段と、前記糊塗布手段にて糊が塗布された封筒の折り曲げ加工を行う折り曲げ加工手段と、前記折り曲げ加工手段にて折り曲げられた封筒を１通ずつに切断するとともに、切断した部分を熱により溶融させて前記封筒を封緘する切断手段と、前記切断手段にて切断された封筒の切断部分を前記搬送手段に対して押さえつける押圧手段とを少なくとも有してなる封書作成装置において、
前記押圧手段は、
前記切断手段にて切断された封筒の切断部分に接触するコンベヤーと、
前記コンベヤーの前記封筒に対する接触／非接触状態を制御する制御部材と、
前記コンベヤーの前記封筒との接触面に接することにより、当該接触面に付着した糊を除去するブレードとを有することを特徴とする。
【００２８】
また、前記押圧手段は、前記切断手段に対して、前記切断手段に加えられた熱により溶融した部分が硬化する前に前記溶融した部分を押さえつけることができるような位置に設けられていることを特徴とする。
【００２９】
また、前記押圧手段は、前記切断手段にて切断された部分の両端のみを前記搬送手段に対して押さえつけることを特徴とする。
【００３１】
また、前記コンベヤーを冷却する冷却手段を有することを特徴とする。
【００３３】
（作用）
上記のように構成された本発明においては、連続状態となったフィルムからなる封筒が搬送手段によって搬送されていくと、封入手段にて所定の封入物が封筒に封入されるとともに、糊塗布手段にて封筒の所定の領域に糊が塗布され、その後、折り曲げ加工手段において封筒が折り曲げられる。この折り曲げられた封筒は、その後、切断手段において、１通ずつに切断されるとともに、切断された部分が熱により溶融され、それにより封筒の天地部分がそれぞれ溶着される。その後、さらに、押圧手段において、切断手段にて切断されて溶着された封筒の天地部分が搬送手段に対して押さえつけられる。
【００３４】
このように、切断手段にて切断されて溶着された封筒の天地部分が、その後、さらに、押圧手段にて搬送手段に対して押さえつけられるので、切断手段によって溶着した部分における押圧による溶着強度が高まり、それにより、熱溶着後に封筒の天地部分が開いてしまう可能性が低減する。
【００３５】
また、封筒の溶着部分に接する部材を冷却する冷却手段を設けた場合は、押圧手段によって封筒の溶着部分が搬送手段に押さえつけられた際に、封筒の溶融している部分が冷却されて硬化し、それにより、溶着部分である封筒の天地部分が完全に接着されることになる。
【００３６】
【発明の実施の形態】
以下に、本発明の実施の形態について図面を参照して説明する。
【００３７】
図１は、本発明の封書作成装置の実施の一形態を示す図である。
【００３８】
本形態は図１に示すように、フィルムシートからなる封筒１を搬送するローラ５０ａ〜５０ｃ及びコンベヤー６０ａ，６０ｂと、封筒１を折り曲げ加工する折り曲げ加工部２０ａ〜２０ｃと、封筒１に封入物を封入する封入部３０と、封筒１の搬送方向に平行な方向の所定の領域にライン状に糊を塗布する糊塗布部１０と、封筒１を１通ずつに切断するとともに、切断した部分を熱により溶着させて封筒１を封緘する切断部４０と、封筒１の切断部４０にて切断された部分を押さえる押圧部７０とから構成されている。なお、切断部４０と押圧部７０との位置関係においては、切断部４０にて加えられた熱により封筒１の溶融した部分が完全に硬化する前に押圧部７０にて封筒１の切断部分を押さえることができるような位置関係となっている。
【００３９】
図２は、図１に示した押圧部７０の一例を示す図であり、（ａ）は封筒１の搬送方向横方向から見た図、（ｂ）は封筒１の搬送方向上方向から見た図である。
【００４０】
本形態における押圧部７０は図２に示すように、封筒１の切断部４０にて切断された部分をコンベヤー６０ｂに対して押さえつける接触部材であるローラ７１ａ，７１ｂと、ローラ７１ａ，７１ｂを上下移動させるための制御部材であるピストン７２と、一端がローラ７１ａ，７１ｂの回転軸につながれた支持部材７４ａ，７４ｂと、ピストン７２と支持部材７４ａ，７４ｂとをつなぐ支持部材７３とから構成されている。
【００４１】
以下に、上記のように構成された封書作成装置を用いた封書作成方法について説明する。
【００４２】
図３は、図１に示した封書作成装置を用いた封書作成方法を説明するための図である。
【００４３】
まず、連続したフィルムシートからなる封筒１がローラ５０ａ〜５０ｃに沿って搬送されてくると（図３（ａ））、折り曲げ加工部２０ａにおいて、封筒１の両端が立てられるように折り曲げられる（図３（ｂ））。なお、折り曲げ加工部２０ａにて折り曲げられる領域においては、それらが折り畳まれた場合に互いに重なる部分が生じる程度の大きさである。
【００４４】
次に、封入部３０において、折り曲げ加工部２０ａにて両端が立てられるように折り曲げられた封筒１に封入すべき封入物３が、封入物３毎に互いに所定の間隔を介して封筒１上に置かれる（図３（ｃ））。
【００４５】
次に、折り曲げ加工部２０ｂにおいて、折り曲げ加工部２０ａにて立てられた封筒１の両端のうち一方が折り畳まれる（図３（ｄ））。
【００４６】
次に、糊塗布部１０において、折り曲げ加工部２０ｂにて折り畳まれた部分に、封筒１の搬送方向と平行に糊１０２がライン状に塗布される（図３（ｅ））。
【００４７】
次に、折り曲げ加工部２０ｃにおいて、折り曲げ加工部２０ａにて立てられた封筒１の両端のうち折り曲げ加工部２０ｂにて折り畳まれていない側が折り畳まれる（図３（ｆ））。その際、折り曲げ加工部２０ｃにて折り畳まれた部分が、糊塗布部１０にて塗布された糊２によって、折り曲げ加工部２０ｂにて折り畳まれた部分と接着されることになる。
【００４８】
次に、切断部４０において、封筒１が１通ずつに切断されるとともに、封筒１の切断部分に熱が加えられ、それにより、封筒１の天地部分が熱溶着する（図３（ｇ））。
【００４９】
ここで、切断部４０における動作について詳細に説明する。
【００５０】
図４は、図１に示した切断部４０における動作を説明するための図であり、（ａ）は封筒１の切断部分が切断部４０に対向していない場合の状態を示す図、（ｂ）は封筒１の切断部分が切断部４０に対向し封筒１が切断部４０によってコンベヤー６０ａ，６０ｂ上に押さえつけられる状態を示す図、（ｃ）は封筒１の切断部分が切断部４０によって切断される状態を示す図、（ｄ）は切断部４０が封筒１の切断部分を切断した後に封筒１から離間した状態を示す図である。
【００５１】
本形態における切断部４０は図４に示すように、コンベヤー６０ａ上を搬送されてくる封筒１を、熱を加えながら切断するための刃４２と、刃４２によって封筒１を切断する際に封筒１の切断部分の近傍領域を上方向から押さえるフィルム押さえ部４１ａ，４１ｂと、刃４２及びフィルム押さえ部４１ａ，４１ｂを上下移動させるための上下機構４４とから構成されており、フィルム押さえ部４１ａ，４１ｂは、ばね４３ａ，４３ｂを介して上下機構４４に装着されている。
【００５２】
コンベヤー６０ａ上を搬送されてくる封筒１の切断部分が切断部４０に対向していない場合は、図４（ａ）に示すように、上下機構４４の動作によって、刃４２及びフィルム押さえ部４１ａ，４１ｂは封筒１に接していない状態となっている。
【００５３】
コンベヤー６０ａ上を封筒１が搬送されていき、封筒１の切断部分が切断部４０に対向すると、上下機構４４が下方向すなわち封筒１に向かう方向に移動し、まず、図４（ｂ）に示すように、フィルム押さえ部４１ａ，４１ｂが封筒１と接し、封筒１を上方向からコンベヤー６０ａ，６０ｂに対して押さえつけるような状態となる。
【００５４】
その後、さらに上下機構４４が下方向に移動し、図４（ｃ）に示すように、封筒１の切断部分が刃４２によって切断される。ここで、上下機構４４は、ばね４３ａ，４３ｂを介してフィルム押さえ部４１ａ，４１ｂを装着しているため、フィルム押さえ部４１ａ，４１ｂが封筒１に接した状態においてもさらに下方向に移動することができ、それにより、刃４２を封筒１に接触させ、封筒１を切断することができる。また、刃４２によって封筒１の切断部分に圧力が加わった状態において、刃４２によって封筒１の切断部分に熱が加えられ、それにより、封筒１の天地部分が溶融し、溶着する。
【００５５】
その後、上下機構４４が上方向に移動することにより、図４（ｄ）に示すように、刃４２が封筒１から離間する。
【００５６】
切断部４０にて切断された封筒１は、コンベヤー６０ａ上からコンベヤー６０ｂ上に移載され、押圧部７０において、切断部４０にて切断された部分がコンベヤー６０ｂに対して押さえつけられ、その後、天地部分が溶着された封書としてコンベヤー６０ｂ上を搬送されていく。なお、コンベヤー６０ａ，６０ｂの搬送速度においては、コンベヤー６０ｂの搬送速度がコンベヤー６０ａの搬送速度よりも速くなるように設定されており、それにより、切断部４０にて切断された封筒１が互いに所定の間隔を有してコンベヤー６０ｂ上を搬送されていくことになる。
【００５７】
ここで、押圧部７０の動作について詳細に説明する。
【００５８】
図５は、図１及び図２に示した押圧部７０の動作を説明するための図であり、（ａ）は封筒１の天地部分がローラ７１ａ，７１ｂに対向していない場合の状態を示す図、（ｂ）は封筒１の天地部分がローラ７１ａ，７１ｂに対向し封筒１の天地部分がローラ７１ａ，７１ｂによってコンベヤー６０ｂに押さえつけられる状態を示す図、（ｃ）は（ｂ）に示した状態を搬送方向上方向から見た図である。
【００５９】
コンベヤー６０ｂ上を搬送されてくる封筒１の天地部分、すなわち切断部４０にて切断されて溶着された部分がローラ７１ａ，７１ｂに対向していない場合は、図５（ａ）に示すように、ピストン７２の動作によって、ローラ７１ａ，７１ｂは封筒１に接していない状態となっている。
【００６０】
コンベヤー６０ｂ上を封筒１が搬送されていき、封筒１の天地部分がローラ７１ａ，７１ｂに対向すると、ピストン７２の軸が縮む方向に動作する。すると、支持部材７３のコンベヤー６０ｂに対する角度が変位することになるが、支持部材７３と支持部材７４ａ，７４ｂとの角度は固定であるため、それにより、図５（ｂ）に示すように、ローラ７１ａ，７１ｂが下方向すなわち封筒１に向かう方向に移動して、封筒１の天地部分と接し、封筒１の天地部分、すなわち切断部４０にて切断されて溶着された部分がコンベヤー６０ｂに対して押さえつけられる。なお、本例においては、図５（ｃ）に示すように、封筒１の天地部分のうち、その両端のみがローラ７１ａ，７１ｂによって押さえつけられる構成としている。これは、上述したように、封筒１の切断部４０にて溶着された部分においては、その両端が開いてしまう可能性が高いためにこのような構成としているが、切断部４０にて溶着された部分を全てコンベヤー６０ｂに対して押さえつける構成としてもよい。
【００６１】
また、ローラ７１ａ，７１ｂを上下移動させるためのピストン７２の動作においては、例えば、切断部４０における刃４２（図４参照）の動作のタイミングに基づいて制御することが考えられる。
【００６２】
このように、押圧部７０によって封筒１の天地部分を押さえつける動作は、切断部４０にて加えられた熱により封筒１の溶融した部分が完全に硬化する前に行われるため、押圧による封筒１の天地部分に対する溶着強度が高まり、それにより、封筒１の天地部分、すなわち、切断部４０に切断されて溶着された部分が開いてしまう可能性が低減することになる。
【００６３】
以下に、図１に示した押圧部７０の他の例について説明する。
【００６４】
図６は、図１に示した押圧部７０の他の例を説明するための図であり、（ａ）は封筒１の天地部分が押圧部７０に対向していない場合の状態を示す図、（ｂ）は封筒１の天地部分が押圧部７０に対向し押圧部７０によってコンベヤー６０ｂに押さえつけられる状態を示す図である。
【００６５】
本例の押圧部７０は図６に示すように、封筒１の切断部４０にて切断された部分をコンベヤー６０ｂに対して押さえつける接触部材であるコンベヤー１７１と、コンベヤー１７１を上下移動させるための制御部材であるピストン１７２と、コンベヤー１７１の封筒１との接触面を冷却する冷却装置１７５と、コンベヤー１７１の封筒１との接触面に接することにより、コンベヤー１７１の封筒１との接触面に付着した糊を除去するブレード１７６とから構成されている。なお、コンベヤー１７１の回転速度は、コンベヤー６０ｂの搬送速度と同一に設定されている。
【００６６】
上記のように構成された押圧部７０においては、コンベヤー６０ｂ上を搬送されてくる封筒１の天地部分、すなわち切断部４０にて切断されて溶着された部分がコンベヤー１７１の封筒１との接触部分に対向していない場合は、図６（ａ）に示すように、ピストン１７２の動作によって、コンベヤー１７１は封筒１に接していない状態となっている。
【００６７】
コンベヤー６０ｂ上を封筒１が搬送されていき、封筒１の天地部分がコンベヤー１７１の封筒１との接触部分に対向すると、ピストン１７２の軸が伸びる方向に動作し、それにより、図６（ｂ）に示すように、コンベヤー１７１が下方向すなわち封筒１に向かう方向に移動して封筒１の天地部分と接し、封筒１の天地部分、すなわち切断部４０にて切断されて溶着された部分がコンベヤー６０ｂに対して押さえつけられる。
【００６８】
なお、この際、コンベヤー１７１においては、冷却装置１７５によって封筒１との接触面が冷却されているため、コンベヤー１７１が封筒１の天地部分、すなわち切断部４０にて切断されて溶着された部分がコンベヤー１７１に接触すると、溶着部分が硬化し、封筒１の天地部分が完全に接着されることになる。
【００６９】
また、コンベヤー１７１の封筒１との接触面に、糊塗布部１０にて封筒１に塗布された糊や切断部４０の熱により溶融した封筒１のフィルム片等が付着した場合、この糊やフィルム片はブレード１７６によってコンベヤー１７１上から除去される。
【００７０】
なお、本例における冷却装置１７５においては、図２に示した押圧部７０にも適用できることは言うまでもない。
【００７１】
また、封筒１の切断部４０にて切断され溶着された部分のうちコンベヤー１７１によってコンベヤー６０ｂに押さえつけられる部分においても、切断部４０にて切断され溶着された部分の全てとしてもよいし、図２に示したもののように、切断部４０にて切断され溶着された部分の両端のみとしてもよい。
【００７２】
図７は、図１に示した押圧部７０の他の例を説明するための図であり、（ａ）は封筒１の搬送方向横方向から見た図、（ｂ）は押圧部７０単体の斜視図、（ｃ）はコンベヤー６０ｂ上を封筒１が連続して搬送されてくる状態を示す図である。
【００７３】
本例の押圧部７０は図７に示すように、コンベヤー６０ｂと対向するように、かつ、コンベヤー６０ｂの搬送速度と同一の速度で回転し、封筒１と接触する凸部２７７を有するコンベヤー２７１から構成されている。
【００７４】
上記のように構成された押圧部７０においては、動作開始時の設定において、封筒１の天地部分、すなわち切断部４０にて切断され溶着された部分がコンベヤー６０ｂ上に搬送された際にコンベヤー２７１の搬送面に設けられた凸部２７７と接するようなタイミングで回転動作が開始するように制御される。
【００７５】
ここで、コンベヤー２７１の搬送面に設けられた凸部２７７は、コンベヤー６０ｂ上における封筒１の搬送ピッチと同じ間隔で設けられているため、コンベヤー２７１の回転動作開始後は、図７（ｃ）に示すように、コンベヤー６０ｂ上を順次搬送されてくる封筒１の天地部分のみと接触することになる。
【００７６】
なお、本例においても、封筒１の天地部分の両端のみをコンベヤー６０ｂに対して押さえつけるように凸部２７７を形成することも考えられる。
【００７７】
また、図６に示した冷却装置１７５によって凸部２７７を冷却することも考えられる。
【００７８】
【発明の効果】
以上説明したように本発明においては、切断手段にて切断されて溶着された封筒の天地部分を搬送手段に対して押さえつける押圧手段を設けたため、切断手段によって溶融した部分における押圧による溶着強度が高まり、それにより、熱溶着後に封筒の天地部分が開いてしまう可能性を低減することができる。
【００７９】
また、封筒の溶着部分に接する部材を冷却する冷却手段を設けたものにおいては、押圧手段によって封筒の溶着部分が搬送手段に押さえつけられた際に、封筒の溶融している部分が冷却されて硬化し、それにより、溶着部分である封筒の天地部分を完全に接着させることができる。
【図面の簡単な説明】
【図１】本発明の封書作成装置の実施の一形態を示す図である。
【図２】図１に示した押圧部の一例を示す図であり、（ａ）は封筒の搬送方向横方向から見た図、（ｂ）は封筒の搬送方向上方向から見た図である。
【図３】図１に示した封書作成装置を用いた封書作成方法を説明するための図である。
【図４】図１に示した切断部における動作を説明するための図であり、（ａ）は封筒の切断部分が切断部に対向していない場合の状態を示す図、（ｂ）は封筒の切断部分が切断部に対向し封筒が切断部によってコンベヤー上に押さえつけられる状態を示す図、（ｃ）は封筒の切断部分が切断部によって切断される状態を示す図、（ｄ）は切断部が封筒の切断部分を切断した後に封筒から離間した状態を示す図である。
【図５】図１及び図２に示した押圧部の動作を説明するための図であり、（ａ）は封筒１の天地部分がローラに対向していない場合の状態を示す図、（ｂ）は封筒の天地部分がローラに対向し封筒の天地部分がローラによってコンベヤーに押さえつけられる状態を示す図、（ｃ）は（ｂ）に示した状態を搬送方向上方向から見た図である。
【図６】図１に示した押圧部の他の例を説明するための図であり、（ａ）は封筒の天地部分が押圧部に対向していない場合の状態を示す図、（ｂ）は封筒の天地部分が押圧部に対向し押圧部によってコンベヤーに押さえつけられる状態を示す図である。
【図７】図１に示した押圧部の他の例を説明するための図であり、（ａ）は封筒の搬送方向横方向から見た図、（ｂ）は押圧部単体の斜視図、（ｃ）はコンベヤー上を封筒が連続して搬送されてくる状態を示す図である。
【図８】従来の封書作成装置の一構成例を示す図である。
【図９】図８に示した封書作成装置を用いた封書作成方法を説明するための図である。
【図１０】図８に示した切断部における動作を説明するための図であり、（ａ）は封筒の切断部分が切断部に対向していない場合の状態を示す図、（ｂ）は封筒の切断部分が切断部に対向し封筒が切断部によってコンベヤー上に押さえつけられる状態を示す図、（ｃ）は封筒の切断部分が切断部によって切断される状態を示す図、（ｄ）は切断部が封筒の切断部分を切断した後に封筒から離間した状態を示す図である。
【符号の説明】
１    封筒
２    糊
３    封入物
１０    糊塗布部
２０ａ〜２０ｃ    折り曲げ加工部
３０    封入部
４０    切断部
４１ａ，４１ｂ    フィルム押さえ部
４２    刃
４３ａ，４３ｂ    ばね
４４    上下機構
５０ａ〜５０ｃ，７１ａ，７１ｂ    ローラ
６０ａ，６０ｂ，１７１，２７１    コンベヤー
７０    押圧部
７２，１７２    ピストン
７３，７４ａ，７４ｂ    支持部材
１７５    冷却装置
１７６    ブレード
２７７    凸部
【図１】
0003987339.tif 000002
【図２】
0003987339.tif 000003
【図３】
0003987339.tif 000004
【図４】
0003987339.tif 000005
【図５】
0003987339.tif 000006
【図６】
0003987339.tif 000007
【図７】
0003987339.tif 000008
【図８】
0003987339.tif 000009
【図９】
0003987339.tif 000010
【図１０】
0003987339.tif 000011